(57)【要約】【課題】携帯用コンテンツを、ユーザにとって好適なテレビジョン受像機に転送することができるコンテンツ転送システムを提供することにある。【解決手段】携帯電話機１の探索手段（ＣＰＵ１４１、探索プログラム１４３ａ）は無線通信接続可能なテレビジョン受像機２を探索し、一覧表示制御手段（ＣＰＵ１４１、一覧表示制御プログラム１４３ｂ）は探索されたテレビジョン受像機２の一覧を表示部１２に表示させ、表示されたテレビジョン受像機２の一覧のうち一のテレビジョン受像機２を操作部１３により選択し、ペアリング実行手段（ＣＰＵ１４１、ペアリング実行プログラム１４３ｃ）は選択された一のテレビジョン受像機２と無線通信接続するためのペアリング動作を行い、コンテンツ情報転送手段（ＣＰＵ１４１、コンテンツ情報転送プログラム１４３ｄ）は携帯電話機１が有するコンテンツ情報をテレビジョン受像機２に転送する。【選択図】図２
2009094799.tif 000002
【特許請求の範囲】
【請求項１】
テレビジョン受像機と、当該テレビジョン受像機と無線通信回線を介して接続される移動通信端末装置とを備えるコンテンツ転送システムにおいて、
前記移動通信端末装置は、
無線通信接続可能なテレビジョン受像機を探索する探索手段と、
前記探索手段により無線通信接続可能として探索されたテレビジョン受像機の一覧を当該移動通信端末装置の表示部に表示させる一覧表示制御手段と、
前記表示部に表示された前記テレビジョン受像機の一覧のうち、一のテレビジョン受像機を選択する選択手段と、
前記選択手段により選択された一のテレビジョン受像機と無線通信接続するためのペアリング動作を行うペアリング実行手段と、
前記ペアリング実行手段により、前記テレビジョン受像機との無線通信接続がなされた場合、当該移動通信端末装置が有するコンテンツ情報を前記テレビジョン受像機に転送するコンテンツ情報転送手段と、
を備え、
前記テレビジョン受像機は、
前記ペアリング実行手段によるペアリング動作に用いられる識別情報を記憶する識別情報記憶手段と、
前記ペアリング実行手段が実行された際、前記識別情報記憶手段に記憶された前記識別情報との照合に基づき、前記移動通信端末装置が無線通信接続可能であるか否かを判断する判断手段と、
前記判断手段により無線通信接続可能であると判断された場合、前記移動通信端末装置との無線通信接続を行う無線通信接続実行手段と、
前記コンテンツ情報転送手段により転送される前記コンテンツ情報を受信するコンテンツ情報受信手段と、
前記コンテンツ情報受信手段により受信された前記コンテンツ情報に基づくコンテンツを実行させるコンテンツ実行手段と、
を備えることを特徴とするコンテンツ転送システム。
【請求項２】
前記テレビジョン受像機は、
コンテンツ情報の解像度と当該テレビジョン受像機の表示部の表示サイズとに基づく当該コンテンツ情報に係るコンテンツを拡大表示可能な表示倍率情報を記憶する表示倍率情報記憶手段と、
前記コンテンツ情報受信手段により受信されたコンテンツ情報の解像度から、前記表示倍率情報記憶手段に記憶された前記表示倍率情報を抽出し、当該コンテンツ情報に係るコンテンツを、抽出された表示倍率情報に基づく表示サイズに変換するコンテンツ表示サイズ変換手段と、
前記コンテンツ表示サイズ変換手段により変換された前記コンテンツ情報に基づくコンテンツを当該テレビジョン受像機の表示部に表示させるコンテンツ表示制御手段と、
を備えることを特徴とする請求項１に記載のコンテンツ転送システム。
【請求項３】
テレビジョン受像機と、当該テレビジョン受像機と無線通信回線を介して接続される移動通信端末装置とを備えるコンテンツ転送システムにおいて、
前記移動通信端末装置は、
無線通信接続可能なテレビジョン受像機を探索する探索手段と、
前記探索手段により無線通信接続可能として探索されたテレビジョン受像機の一覧を当該移動通信端末装置の表示部に表示させる一覧表示制御手段と、
前記表示部に表示された前記テレビジョン受像機の一覧のうち、一のテレビジョン受像機を選択する選択手段と、
前記選択手段により選択された一のテレビジョン受像機と無線通信接続するためのペアリング動作を行うペアリング実行手段と、
前記ペアリング実行手段の実行により、前記テレビジョン受像機との無線通信接続がなされた場合、当該移動通信端末装置が有するコンテンツ情報を前記テレビジョン受像機に転送するコンテンツ情報転送手段と、
を備え、
前記テレビジョン受像機は、
前記ペアリング実行手段によるペアリング動作に用いられる識別情報を記憶する識別情報記憶手段と、
コンテンツ情報の解像度と当該テレビジョン受像機の表示部の表示サイズとに基づく当該コンテンツ情報に係るコンテンツを拡大表示可能な表示倍率情報を記憶する表示倍率情報記憶手段と、
前記ペアリング実行手段が実行された際、前記識別情報記憶手段に記憶された前記識別情報との照合に基づき、前記移動通信端末装置が無線通信接続可能であるか否かを判断する判断手段と、
前記判断手段により無線通信接続可能であると判断された場合、前記移動通信端末装置との無線通信接続を行う無線通信接続実行手段と、
前記コンテンツ情報転送手段により転送される前記コンテンツ情報を受信するコンテンツ情報受信手段と、
前記コンテンツ情報受信手段により受信されたコンテンツ情報の解像度から、前記表示倍率情報記憶手段に記憶された前記表示倍率情報を抽出し、当該コンテンツ情報に係るコンテンツを、抽出された表示倍率情報に基づく表示サイズに変換するコンテンツ表示サイズ変換手段と、
前記コンテンツ表示サイズ変換手段により変換された前記コンテンツ情報に基づくコンテンツを当該テレビジョン受像機の表示部に表示させるコンテンツ表示制御手段と、
前記コンテンツの操作を行う操作手段と、
前記コンテンツ情報受信手段により受信された前記コンテンツ情報に基づくコンテンツを前記操作手段により実行させるコンテンツ実行手段と、
を備えることを特徴とするコンテンツ転送システム。
【発明の詳細な説明】
【技術分野】
【０００１】
本発明は、コンテンツ転送システムに関する。
【背景技術】
【０００２】
従来、携帯電話機において、携帯小説、携帯マンガ、携帯ゲーム等のコンテンツ提供サービスが行われており、携帯電話機によってダウンロードされた当該コンテンツを携帯電話機で楽しむことができる。
【０００３】
しかし、携帯用コンテンツは、携帯電話機の表示画面でしか見ることが出来ず、当該表示画面は小さいため、コンテンツ内容が見にくいという不都合や、当該表示画面に一度に表示できる文字数等に制限があり、ユーザは、何度も画面のスクロール操作を行う等の必要があり、手間がかかるといった不都合を有していた。
【０００４】
そこで、取得したコンテンツを液晶テレビに転送することができる携帯電話機において、転送先の液晶テレビがより完全な形でコンテンツを再生することを可能とするため、液晶テレビにおいてコンテンツ加工部を備え、加工されたコンテンツを液晶テレビに転送するシステムが知られている（特許文献１参照）。
【特許文献１】特開２００７−３６８８６号公報
【発明の開示】
【発明が解決しようとする課題】
【０００５】
しかしながら、上記特許文献１に開示された通信装置では、特定の携帯電話機と液晶テレビとの間でしかコンテンツの転送を行うことができず、ユーザは、コンテンツを転送する最適な液晶テレビを選択する余地がなかった。
【０００６】
本発明の課題は、携帯用コンテンツを、ユーザにとって好適なテレビジョン受像機に転送することができるコンテンツ転送システムを提供することにある。
【課題を解決するための手段】
【０００７】
上記課題を解決するため、請求項１に記載の発明は、
テレビジョン受像機と、当該テレビジョン受像機と無線通信回線を介して接続される移動通信端末装置とを備えるコンテンツ転送システムにおいて、
前記移動通信端末装置は、
無線通信接続可能なテレビジョン受像機を探索する探索手段と、
前記探索手段により無線通信接続可能として探索されたテレビジョン受像機の一覧を当該移動通信端末装置の表示部に表示させる一覧表示制御手段と、
前記表示部に表示された前記テレビジョン受像機の一覧のうち、一のテレビジョン受像機を選択する選択手段と、
前記選択手段により選択された一のテレビジョン受像機と無線通信接続するためのペアリング動作を行うペアリング実行手段と、
前記ペアリング実行手段により、前記テレビジョン受像機との無線通信接続がなされた場合、当該移動通信端末装置が有するコンテンツ情報を前記テレビジョン受像機に転送するコンテンツ情報転送手段と、
を備え、
前記テレビジョン受像機は、
前記ペアリング実行手段によるペアリング動作に用いられる識別情報を記憶する識別情報記憶手段と、
前記ペアリング実行手段が実行された際、前記識別情報記憶手段に記憶された前記識別情報との照合に基づき、前記移動通信端末装置が無線通信接続可能であるか否かを判断する判断手段と、
前記判断手段により無線通信接続可能であると判断された場合、前記移動通信端末装置との無線通信接続を行う無線通信接続実行手段と、
前記コンテンツ情報転送手段により転送される前記コンテンツ情報を受信するコンテンツ情報受信手段と、
前記コンテンツ情報受信手段により受信された前記コンテンツ情報に基づくコンテンツを実行させるコンテンツ実行手段と、
を備えることを特徴とする。
【０００８】
ここで、「転送」とは、移動通信端末装置がコンテンツサーバ等から取得したコンテンツをテレビジョン受像機に転送する場合に限らず、当該移動通信端末装置が当初より有していたコンテンツをテレビジョン受像機に送信する場合を含む。
【０００９】
請求項２に記載の発明は、
請求項１に記載のコンテンツ転送システムにおいて、
前記テレビジョン受像機は、
コンテンツ情報の解像度と当該テレビジョン受像機の表示部の表示サイズとに基づく当該コンテンツ情報に係るコンテンツを拡大表示可能な表示倍率情報を記憶する表示倍率情報記憶手段と、
前記コンテンツ情報受信手段により受信されたコンテンツ情報の解像度から、前記表示倍率情報記憶手段に記憶された前記表示倍率情報を抽出し、当該コンテンツ情報に係るコンテンツを、抽出された表示倍率情報に基づく表示サイズに変換するコンテンツ表示サイズ変換手段と、
前記コンテンツ表示サイズ変換手段により変換された前記コンテンツ情報に基づくコンテンツを当該テレビジョン受像機の表示部に表示させるコンテンツ表示制御手段と、
を備えることを特徴とする。
【００１０】
請求項３に記載の発明は、
テレビジョン受像機と、当該テレビジョン受像機と無線通信回線を介して接続される移動通信端末装置とを備えるコンテンツ転送システムにおいて、
前記移動通信端末装置は、
無線通信接続可能なテレビジョン受像機を探索する探索手段と、
前記探索手段により無線通信接続可能として探索されたテレビジョン受像機の一覧を当該移動通信端末装置の表示部に表示させる一覧表示制御手段と、
前記表示部に表示された前記テレビジョン受像機の一覧のうち、一のテレビジョン受像機を選択する選択手段と、
前記選択手段により選択された一のテレビジョン受像機と無線通信接続するためのペアリング動作を行うペアリング実行手段と、
前記ペアリング実行手段の実行により、前記テレビジョン受像機との無線通信接続がなされた場合、当該移動通信端末装置が有するコンテンツ情報を前記テレビジョン受像機に転送するコンテンツ情報転送手段と、
を備え、
前記テレビジョン受像機は、
前記ペアリング実行手段によるペアリング動作に用いられる識別情報を記憶する識別情報記憶手段と、
コンテンツ情報の解像度と当該テレビジョン受像機の表示部の表示サイズとに基づく当該コンテンツ情報に係るコンテンツを拡大表示可能な表示倍率情報を記憶する表示倍率情報記憶手段と、
前記ペアリング実行手段が実行された際、前記識別情報記憶手段に記憶された前記識別情報との照合に基づき、前記移動通信端末装置が無線通信接続可能であるか否かを判断する判断手段と、
前記判断手段により無線通信接続可能であると判断された場合、前記移動通信端末装置との無線通信接続を行う無線通信接続実行手段と、
前記コンテンツ情報転送手段により転送される前記コンテンツ情報を受信するコンテンツ情報受信手段と、
前記コンテンツ情報受信手段により受信されたコンテンツ情報の解像度から、前記表示倍率情報記憶手段に記憶された前記表示倍率情報を抽出し、当該コンテンツ情報に係るコンテンツを、抽出された表示倍率情報に基づく表示サイズに変換するコンテンツ表示サイズ変換手段と、
前記コンテンツ表示サイズ変換手段により変換された前記コンテンツ情報に基づくコンテンツを当該テレビジョン受像機の表示部に表示させるコンテンツ表示制御手段と、
前記コンテンツの操作を行う操作手段と、
前記コンテンツ情報受信手段により受信された前記コンテンツ情報に基づくコンテンツを前記操作手段により実行させるコンテンツ実行手段と、
を備えることを特徴とする。
【発明の効果】
【００１１】
本発明によれば、移動通信端末装置は、探索手段によって、無線通信接続可能なテレビジョン受像機を探索することができ、一覧表示制御手段によって、探索手段により無線通信接続可能として探索されたテレビジョン受像機の一覧を当該移動通信端末装置の表示部に表示させることができ、選択手段によって、表示部に表示されたテレビジョン受像機の一覧のうち、一のテレビジョン受像機を選択することができ、ペアリング実行手段によって、選択手段により選択された一のテレビジョン受像機と無線通信接続するためのペアリング動作を行うことができ、コンテンツ情報転送手段によって、ペアリング実行手段により、テレビジョン受像機との無線通信接続がなされた場合、当該移動通信端末装置が有するコンテンツ情報をテレビジョン受像機に転送することができる。
そして、テレビジョン受像機は、識別情報記憶手段によって、ペアリング実行手段によるペアリング動作に用いられる識別情報を記憶することができ、判断手段によって、ペアリング実行手段が実行された際、識別情報記憶手段に記憶された識別情報との照合に基づき、移動通信端末装置が無線通信接続可能であるか否かを判断することができ、無線通信接続実行手段によって、判断手段により無線通信接続可能であると判断された場合、移動通信端末装置との無線通信接続を行うことができ、コンテンツ情報受信手段によって、コンテンツ情報転送手段により転送されるコンテンツ情報を受信することができ、コンテンツ実行手段によって、コンテンツ情報受信手段により受信されたコンテンツ情報に基づくコンテンツを実行させることができる。
従って、携帯用コンテンツを、ユーザにとって好適なテレビジョン受像機に転送することができる。
【発明を実施するための最良の形態】
【００１２】
以下、図を参照して、本発明にかかるコンテンツ転送システムの最良の形態を詳細に説明する。なお、発明の範囲は、図示例に限定されない。
【００１３】
まず、コンテンツ転送システム１００の構成について、図１を参照して説明する。
コンテンツ転送システム１００は、例えば、図１に示すように、移動通信端末装置としての携帯電話機１と、テレビジョン受像機２と、を備えている。また、携帯電話機１とテレビジョン受像機２とは、所定の規格に準じたネットワークＮを介して、互いに無線通信を行うことができるようになっている。
【００１４】
ネットワークＮは、例えば、Bluetooth規格やIEEE（Institute of Electrical and Electronic Engineers）802.11規格に準じた無線ＬＡＮ（Local Area Network）などのネットワークである。
【００１５】
（携帯電話機の構成）
ネットワークＮを介してテレビジョン受像機２に無線通信接続される携帯電話機１の構成について、図２を参照しながら説明する。
携帯電話機１は、例えば、通信部１１と、表示部１２と、操作部１３と、制御部１４と、等を備えている。各部は、バス１０によって接続されている。
【００１６】
通信部１１は、例えば、ネットワークＮ上の各種機器（例えば、テレビジョン受像機２等）と双方向通信を行って、当該各種機器との間で各種情報の送受信を行う。
【００１７】
具体的には、通信部１１は、例えば、探索手段として、無線通信接続可能なテレビジョン受像機２からの返信要求を行う。また、通信部１１は、コンテンツ情報転送手段として、携帯電話機１が有するコンテンツ情報をテレビジョン受像機２に転送する。
【００１８】
表示部１２は、例えば、液晶表示機器等であり、制御部１４から入力される制御信号に従って、所定の映像データに基づく映像を表示する。
【００１９】
具体的には、表示部１２は、例えば、図３に示すように、コンテンツ情報転送可能状態にあるテレビジョン受像機２を一覧表示させる。
【００２０】
操作部１３は、例えば、携帯電話機１の外面に備えられた操作ボタン等から構成されており、例えば、ユーザにより操作されると、当該操作に伴う各種信号を制御部１４に出力する。
【００２１】
具体的には、操作部１３は、図３に示すように、例えば、選択手段として、表示部１２に表示されたコンテンツ情報転送可能状態にあるテレビジョン受像機２の一覧のうち、一のテレビジョン受像機２を選択する。
【００２２】
制御部１４は、例えば、図２に示すように、ＣＰＵ１４１と、ＲＡＭ１４２と、記憶部１４３と、等を備えている。
【００２３】
ＣＰＵ１４１は、記憶部に記憶された携帯電話機１用の各種プログラムに従って各種の制御動作を行う。
【００２４】
ＲＡＭ１４２は、ＣＰＵ１４１によって実行される処理プログラムなどを展開するためのプログラム格納領域や、入力データや上記処理プログラムが実行される際に生じる処理結果などを格納するデータ格納領域などを備える。
【００２５】
記憶部１４３は、携帯電話機１で実行可能なシステムプログラム、当該システムプログラムで実行可能な各種処理プログラム、これら各種処理プログラムを実行する際に使用されるデータ、ＣＰＵ１４１によって演算処理された処理結果のデータなどを記憶する。
なお、プログラムは、コンピュータが読み取り可能なプログラムコードの形で記憶部１４３に記憶されている。
【００２６】
具体的には、記憶部１４３は、例えば、図２に示すように、探索プログラム１４３ａ、一覧表示制御プログラム１４３ｂ、ペアリング実行プログラム１４３ｃ、コンテンツ情報転送プログラム１４３ｄと、等を記憶している。
【００２７】
探索プログラム１４３ａは、ＣＰＵ１４１に、無線通信接続可能なテレビジョン受像機２を探索する機能を実現させるプログラムである。
具体的には、ＣＰＵ１４１は、例えば、探索プログラム１４３ａを実行することによって、Bluetoothを搭載したテレビジョン受像機２であって、且つ、電源が「ＯＮ」状態にあるテレビジョン受像機２を探索する。
より具体的には、ＣＰＵ１４１は、探索プログラム１４３ａを実行することによって、例えば、通信部１１を介して、テレビジョン受像機２からの無線通信接続可能である旨の返信要求情報を送信するとともに、テレビジョン受像機２からの無線通信接続可能である旨の返信情報として、各テレビジョン受像機２を識別可能なテレビジョン受像機の機種名、表示サイズ等の情報を受信する。
ＣＰＵ１４１は、かかる探索プログラム１４３ａを実行することにより、探索手段として機能する。
【００２８】
一覧表示制御プログラム１４３ｂは、ＣＰＵ１４１に、無線通信接続可能なテレビジョン受像機２の一覧を表示部１２に表示させる機能を実現させるプログラムである。
具体的には、例えば、図４に示すように、家に無線通信接続可能なテレビジョン受像機２ａ、２ｂと、無線通信接続をすることができない通常のテレビジョン受像機３、４とが設置されている状態において、ＣＰＵ１４１は、一覧表示制御プログラム１４３ｂを実行することによって、探索プログラム１４３ａの実行により、無線通信接続可能であるとして探索されたテレビジョン受像機２ａ、２ｂからの一覧を表示部１２に表示させる。
より具体的には、ＣＰＵ１４１は、一覧表示制御プログラム１４３ｂを実行することによって、図３に示すように、探索プログラム１４３ａの実行により、無線通信接続可能であるとして探索されたテレビジョン受像機２ａからの返信情報「機種名；ＡＡＡ、表示サイズ；３２インチ」及びテレビジョン受像機２ｂからの返信情報「機種名；ＢＢＢ、表示サイズ；１４インチＴＶ」を表示部１２に表示させる。
ＣＰＵ１４１は、かかる一覧表示制御プログラム１４３ｂを実行することにより、一覧表示制御手段として機能する。
【００２９】
ペアリング実行プログラム１４３ｃは、ＣＰＵ１４１に、テレビジョン受像機２と無線通信接続するためのペアリング動作を行う機能を実現させるプログラムである。
具体的には、ＣＰＵ１４１は、ペアリング実行プログラム１４３ｃを実行することによって、無線通信接続可能であるとして探索され、表示部１２に表示されたテレビジョン受像機２の一覧のうち、操作部１３により選択された一のテレビジョン受像機２と無線通信接続するためのペアリング動作を行う。
ＣＰＵ１４１は、かかるペアリング実行プログラム１４３ｃを実行することにより、ペアリング実行手段として機能する。
【００３０】
コンテンツ情報転送プログラム１４３ｄは、ＣＰＵ１４１に、携帯電話機１が有するコンテンツ情報をテレビジョン受像機２に転送する機能を実現させるプログラムである。
具体的には、ＣＰＵ１４１がペアリング実行プログラム１４３ｃを実行することにより、テレビジョン受像機２との無線通信接続がなされた場合、ＣＰＵ１４１は、コンテンツ情報転送プログラム１４３ｄを実行することによって、携帯電話機１が有するコンテンツ情報をテレビジョン受像機２に転送する。
ＣＰＵ１４１は、かかるコンテンツ情報転送プログラム１４３ｄを実行することにより、コンテンツ情報転送手段として機能する。
【００３１】
（テレビジョン受像機の構成）
テレビジョン受像機２は、例えば、図５に示すように、アンテナ２１ａを有するチューナ２１と、復調器２２と、デコーダ２３と、ＯＳＤ回路２６と、通信部２７と、操作部２８と、制御部２９と、等を備えて構成される。各部は、バス２０によって接続されている。
また、テレビジョン受像機２は、デコーダ２３と接続する音声出力部２４や映像表示部２５を備えている。
【００３２】
チューナ２１は、制御部２９から入力される制御信号に従って、テレビジョン放送波からＴＶ放送信号を受信する。
具体的には、チューナ２１は、例えば、アンテナ２１ａにより受信されたテレビジョン放送波（例えば、デジタル方式のテレビジョン放送波）から、ユーザ所望の番組のチャンネルに対応する周波数帯域に存在するＴＶ放送信号を受信し、そして、当該受信したＴＶ放送信号を変調して中間周波信号を生成し、復調器２２に出力する。
【００３３】
復調器２２は、制御部２９から入力される制御信号に従って、例えば、チューナ２１から入力された中間周波信号に対してデジタル復調や誤り訂正などの処理を施して、ストリーム（例えば、トランスポートストリーム）をデコーダ２３に出力する。
【００３４】
デコーダ２３は、制御部２９から入力される制御信号に従って、例えば、復調器２２から入力されたストリームを音声データや映像データなどに分離し、当該音声データや当該映像データなどをデコードして、チューナ２１により受信されたＴＶ放送信号に基づく放送情報を生成する。
そして、デコーダ２３は、例えば、放送情報のうちの音声データを音声出力部２４に出力するとともに、放送情報のうちの映像データを映像表示部２５に出力する。
【００３５】
また、デコーダ２３は、制御部２９から入力される制御信号に従って、ＲＡＭ２９２に記録されたコンテンツ情報をデコードして、コンテンツ情報のうちの音声データを音声出力部２４に出力するとともに、コンテンツ情報のうちの映像データを映像表示部２５に出力する。
【００３６】
音声出力部２４は、例えば、スピーカ機器等であり、デコーダ２３から入力された音声データに基づく音声を出力する。
【００３７】
映像表示部２５は、例えば、液晶表示機器等であり、デコーダ２３から入力された映像データに基づく映像を表示したり、或いはＯＳＤ回路２６によりＯＳＤ表示信号が合成された、デコーダ２３から入力された映像データに基づく映像を表示する。
【００３８】
ＯＳＤ回路２６は、制御部２９から入力される制御信号に従って、例えば、映像表示部２５に所定のオンスクリーンディスプレイ（ＯＳＤ）表示をさせるためのＯＳＤ表示信号を、デコーダ２３から映像表示部２５に入力される映像データに合成する。
【００３９】
通信部２７は、例えば、ネットワークＮ上の各種機器（例えば、携帯電話機１等）と双方向通信を行って、当該各種機器との間で各種情報の送受信を行う。
【００４０】
具体的には、通信部２７は、例えば、コンテンツ情報受信手段として、携帯電話機１により送信されたコンテンツ情報を受信して、制御部２９に出力する。
【００４１】
操作部２８は、例えば、テレビジョン受像機２の外面に備えられた操作ボタン（図示省略）や、テレビジョン受像機２用のリモートコントローラ２８ａ及び当該リモートコントローラ２８ａ（以下、リモコンと言う。）と通信可能なリモコン受信部２８ｂなどから構成されており、例えば、ユーザにより操作されると、当該操作に伴う各種信号を制御部２９に出力する。
【００４２】
具体的には、操作部２８であるリモコン２８ａの操作ボタンの配列（例えば、十字キーや数字キー）は、携帯電話機１が備える操作部１３の操作ボタンの配列に対応付けられており、例えば、コンテンツ実行プログラム２９３ｂ６（後述）が実行され際に、操作手段として、当該実行されたコンテンツの内容に応じた操作がなされる。
【００４３】
制御部２９は、例えば、図５に示すように、ＣＰＵ（Central Processing Unit）２９１と、ＲＡＭ（Random Access Memory）２９２と、記憶部２９３と、等を備えている。
【００４４】
ＣＰＵ２９１は、記憶部２９３に記憶されたテレビジョン受像機２用の各種処理プログラムに従って各種の制御動作を行う。
【００４５】
ＲＡＭ２９２は、ＣＰＵ２９１によって実行される処理プログラムなどを展開するためのプログラム格納領域や、入力データや上記処理プログラムが実行される際に生じる処理結果などを格納するデータ格納領域などを備える。
【００４６】
記憶部２９３は、テレビジョン受像機２で実行可能なシステムプログラム、当該システムプログラムで実行可能な各種処理プログラム、これら各種処理プログラムを実行する際に使用されるデータ、ＣＰＵ２９１によって演算処理された処理結果のデータなどを記憶する。なお、プログラムは、コンピュータが読み取り可能なプログラムコードの形で記憶部２９３に記憶されている。
【００４７】
具体的には、記憶部２９３は、例えば、図５に示すように、識別情報データテーブル２９３ａ１と、表示倍率情報データテーブル２９３ａ２と、判断プログラム２９３ｂ１と、無線通信接続実行プログラム２９３ｂ２と、コンテンツ情報受信プログラム２９３ｂ３、コンテンツ表示サイズ変換プログラム２９３ｂ４と、コンテンツ表示制御プログラム２９３ｂ５と、コンテンツ実行プログラム２９３ｂ６と、等を記憶している。
【００４８】
識別情報データテーブル２９３ａ１は、例えば、携帯電話機１との間で無線通信接続する際のペアリング動作に用いられるペアリング情報や携帯電話機１とテレビジョン受像機２との双方に同一の認証鍵等を記憶する。
なお、ペアリング情報とは、ネットワークＮを識別するための識別情報等である。
【００４９】
表示倍率情報データテーブル２９３ａ２は、例えば、コンテンツ情報の解像度と当該テレビジョン受像機２の映像表示部２５の表示サイズとに基づく当該コンテンツ情報に係るコンテンツを拡大表示可能な表示倍率情報を記憶する。
【００５０】
判断プログラム２９３ｂ１は、ＣＰＵ２９１に、携帯電話機１が無線通信接続可能であるか否かを判断する機能を実現させるプログラムである。
具体的には、例えば、携帯電話機１のＣＰＵ１４１によりペアリング実行プログラム１４３ｃが実行され、ユーザが、携帯電話機１の操作部１３により、認証鍵であるパスキーを入力すると、当該パスキーがテレビジョン受像機２側へ送信され、ＣＰＵ２９１は、判断プログラム２９３ｂ１を実行することによって、識別情報データテーブル２９３ａ１に記憶された認証鍵との照合に基づき、携帯電話機１が無線通信接続可能であるか否かを判断する。なお、携帯電話機１のＣＰＵ１４１によりペアリング実行プログラム１４３ｃが実行されると、携帯電話機１の記憶部１４３に予め記憶された認証鍵であるパスキーがテレビジョン受像機２側へ送信され、ＣＰＵ２９１は、判断プログラム２９３ｂ１を実行することによって、識別情報データテーブル２９３ａ１に記憶された認証鍵との照合に基づき、携帯電話機１が無線通信接続可能であるか否かを判断しても良い。
ＣＰＵ２９１は、かかる判断プログラム２９３ｂ１を実行することによって、判断手段として機能する。
なお、
【００５１】
無線通信接続実行プログラム２９３ｂ２は、ＣＰＵ２９１に、携帯電話機１との無線通信接続を行う機能を実現させるプログラムである。
具体的には、例えば、判断プログラム２９３ｂ１の実行により無線通信接続可能であると判断された場合、ＣＰＵ２９１は、無線通信接続実行プログラム２９３ｂ２を実行することによって、携帯電話機１との無線通信接続を行い、2.45GHz （ギガヘルツ）帯の電波を利用し、約１Mbps（メガビット／秒）の速度で通信を行う。
ＣＰＵ２９１は、かかる無線通信接続実行プログラム２９３ｂ２を実行することによって、無線通信接続実行手段として機能する。
【００５２】
コンテンツ情報受信プログラム２９３ｂ３は、ＣＰＵ２９１に、携帯電話機１から転送されるコンテンツ情報を受信する機能を実現させるプログラムである。
具体的には、例えば、携帯電話機１のＣＰＵ１４１がコンテンツ情報転送プログラム１４３ｄを実行することによりコンテンツ情報が転送されると、ＣＰＵ２９１は、コンテンツ情報受信プログラム２９３ｂ３を実行することによって、通信部２７によりコンテンツ情報を受信し、記憶部２９３に当該コンテンツ情報を記憶する。なお、記憶部２９３に記憶された当該コンテンツ情報は、テレビジョン受像機２の電源が「ＯＦＦ」になると、全てのコンテンツ情報が消去される。
ＣＰＵ２９１は、かかるコンテンツ情報受信プログラム２９３ｂ３を実行することによって、コンテンツ情報受信手段として機能する。
【００５３】
コンテンツ表示サイズ変換プログラム２９３ｂ４は、ＣＰＵ２９１に、コンテンツ表示サイズを、所定の表示サイズに変換する機能を実現させるプログラムである。
具体的には、例えば、ＣＰＵ２９１は、コンテンツ表示サイズ変換プログラム２９３ｂ４を実行することによって、通信部２７により受信されたコンテンツ情報の解像度から、表示倍率情報データテーブル２９３ａ２に記憶された表示倍率情報を抽出し、当該コンテンツ情報に係るコンテンツを、抽出された表示倍率情報に基づく表示サイズに変換する。
より具体的には、例えば、表示倍率情報データテーブル２９３ａ２に、携帯電話機１が有するコンテンツ情報の解像度（320×240画素）と当該テレビジョン受像機２の映像表示部２５の表示サイズ（1920×1080画素）とに基づく当該コンテンツ情報に係るコンテンツを拡大表示可能な表示倍率情報（４倍）を記憶し、また、コンテンツ情報の解像度（320×180画素）と当該テレビジョン受像機２の映像表示部２５の表示サイズ（1920×1080画素）とに基づく当該コンテンツ情報に係るコンテンツを拡大表示可能な表示倍率情報（２倍）を記憶している場合において、実際に通信部２７により受信されたコンテンツ情報の解像度が、320×180画素であり、また、当該コンテンツ情報を転送するテレビジョン受像機２の表示サイズが、1920×1080画素の場合には、携帯電話機１でのコンテンツ表示サイズの２倍の表示サイズに変換する。
ＣＰＵ２９１は、かかるコンテンツ表示サイズ変換プログラム２９３ｂ４を実行することによって、コンテンツ表示サイズ変換手段として機能する。
【００５４】
コンテンツ表示制御プログラム２９３ｂ５は、ＣＰＵ２９１に、通信部２７により受信されたコンテンツ情報に基づくコンテンツを音声出力部２４に出力及び／又は映像表示部２５に表示する機能を実現させるプログラムである。
具体的には、例えば、ＣＰＵ２９１は、コンテンツ表示制御プログラム２９３ｂ５を実行することによって、通信部２７により受信されたコンテンツ情報に基づくコンテンツ表示サイズを、表示倍率情報データテーブル２９３ａ２に記憶されたコンテンツ情報の解像度及びテレビジョン受像機２の表示サイズに基づき、所定の表示サイズに変換した上で、当該コンテンツを音声出力部２４に出力及び／又は映像表示部２５に表示する。また、当該コンテンツの表示は、コンテンツが携帯小説や携帯マンガのような映像情報や文字情報により構成されるコンテンツ情報である場合には、表示されるページの映像情報や文字情報を受信する毎にコンテンツの表示を行う。また、コンテンツが携帯ゲームのようなプログラム情報により構成されるコンテンツ情報である場合には、プログラムを実行可能なプログラム情報が全て受信完了されることによりコンテンツの表示を行う。
ＣＰＵ２９１は、かかるコンテンツ表示制御プログラム２９３ｂ５を実行することによって、コンテンツ表示制御手段として機能する。
【００５５】
コンテンツ実行プログラム２９３ｂ６は、ＣＰＵ２９１に、通信部２７により受信されたコンテンツ情報に基づくコンテンツをリモコン２８ａにより実行させる機能を実現させるプログラムである。
具体的には、例えば、ＣＰＵ２９１は、コンテンツ実行プログラム２９３ｂ６を実行することによって、通信部２７により受信されたコンテンツ情報に基づくコンテンツが携帯小説の場合には、リモコン２８ａの十字キー（図示省略）により、スクロール操作させたり、当該コンテンツが、携帯ゲームの場合には、当該携帯ゲームの主人公キャラクタを、リモコン２８ａの十字キー（図示省略）により、操作させ、当該コンテンツを実行する。
ＣＰＵ２９１は、かかるコンテンツ実行プログラム２９３ｂ６を実行することによって、コンテンツ実行手段として機能する。
【００５６】
＜コンテンツ転送システムによる処理＞
次に、コンテンツ転送システム１００による処理について説明する。
なお、携帯電話機１からテレビジョン受像機２へ転送されるコンテンツ情報が、携帯小説や携帯マンガのような映像情報や文字情報により構成されるコンテンツ情報を転送する場合と、携帯ゲームのようなプログラム情報により構成されるコンテンツ情報を転送する場合とを場合を分けて説明する。
【００５７】
まず、携帯電話機１からテレビジョン受像機２へ転送されるコンテンツ情報が、携帯小説や携帯マンガのような映像情報や文字情報により構成されるコンテンツ情報を転送する場合の携帯電話機１の処理について、図６を用いて説明する。
【００５８】
ステップＳ１において、ＣＰＵ１４１は、探索プログラム１４３ａを実行することによって、Bluetoothを搭載したテレビジョン受像機２であって、且つ、電源が「ＯＮ」状態にあるテレビジョン受像機２を探索する。
【００５９】
次いで、ステップＳ２において、ＣＰＵ１４１が探索プログラム１４３ａを実行した結果、ＣＰＵ１４１が無線通信接続可能であるテレビジョン受像機２があると判断した場合（ステップＳ２；Ｙｅｓ）、ステップＳ３へ移行する。一方、ステップＳ２において、ＣＰＵ１４１が無線通信接続可能であるテレビジョン受像機２がないと判断した場合（ステップＳ２；Ｎｏ）、本処理を終了する。
【００６０】
次いで、ステップＳ３において、ＣＰＵ１４１は、一覧表示制御プログラム１４３ｂを実行することによって、無線通信接続可能であるとして探索されたテレビジョン受像機２の一覧を表示部１２に表示させる。
【００６１】
次いで、ステップＳ４において、ＣＰＵ１４１が、操作部１３の操作により、表示部１２に表示されたテレビジョン受像機２の一覧のうち、一のテレビジョン受像機２が選択されたか否かを判断し、一のテレビジョン受像機２が選択されたと判断した場合（ステップＳ４；Ｙｅｓ）、ステップＳ５へ進む。一方、ステップＳ４において、一のテレビジョン受像機２が選択されていないと判断した場合（ステップＳ４；Ｎｏ）、本処理を繰り返す。
【００６２】
次いで、ステップＳ５において、ＣＰＵ１４１は、ペアリング実行プログラム１４３ｃを実行することによって、操作部１３により選択された一のテレビジョン受像機２と無線通信接続するためのペアリング動作を行う。
【００６３】
次いで、ステップＳ６において、ＣＰＵ１４１が、ペアリング動作が完了したか否かを判断し、ペアリング動作が完了したと判断した場合（ステップＳ６；Ｙｅｓ）、ステップＳ７へ進む。一方、ステップＳ６において、ペアリング動作が完了していないと判断した場合（ステップＳ６；Ｎｏ）、ステップＳ５へ戻る。
【００６４】
次いで、ステップＳ７において、ＣＰＵ１４１がペアリング実行プログラム１４３ｃを実行することにより、テレビジョン受像機２との無線通信接続がなされた場合、ＣＰＵ１４１は、コンテンツ情報転送プログラム１４３ｄを実行することによって、携帯電話機１が有するコンテンツ情報をテレビジョン受像機２に転送して、本処理を終了する。
【００６５】
次に、携帯電話機１からテレビジョン受像機２へ転送されるコンテンツ情報が、携帯小説や携帯マンガのような映像情報や文字情報により構成されるコンテンツ情報を転送する場合のテレビジョン受像機２の処理について、図７を用いて説明する。
【００６６】
まず、ステップＳ１１において、携帯電話機１のＣＰＵ１４１がペアリング実行プログラム１４３ｃを実行することにより、携帯電話機１からテレビジョン受像機２へ、アクセスがあったか否かについて、テレにジョン受像機２のＣＰＵ２９１によって判断し、アクセスがあったと判断した場合（ステップＳ１１；Ｙｅｓ）、ステップＳ１２へ進む。一方、ステップＳ１１において、アクセスがないと判断した場合（ステップＳ１１；Ｎｏ）、本処理を終了する。
【００６７】
次いで、ステップＳ１２において、ＣＰＵ２９１は、判断プログラム２９３ｂ１を実行することによって、ユーザが、操作部１３により入力した認証鍵と識別情報データテーブル２９３ａ１に記憶された認証鍵との照合に基づき、携帯電話機１が無線通信接続可能であるか否かを判断し、無線通信接続可能であると判断した場合（ステップＳ１２；Ｙｅｓ）、ステップＳ１３へ進む。一方、ステップＳ１２において、無線通信接続可能でないと判断した場合（ステップＳ１２；Ｎｏ）、本処理を終了する。
【００６８】
次いで、ステップＳ１３において、ＣＰＵ２９１は、コンテンツ情報受信プログラム２９３ｂ３を実行することによって、携帯電話機１から転送されたコンテンツ情報を通信部２７によって受信する。
【００６９】
次いで、ステップＳ１４において、ＣＰＵ２９１は、コンテンツ表示サイズ変換プログラム２９３ｂ４を実行することによって、通信部２７により受信されたコンテンツ情報に基づくコンテンツ表示サイズを、表示倍率情報データテーブル２９３ａ２に記憶されたコンテンツ情報の解像度及びテレビジョン受像機２の表示サイズに基づき、所定の表示サイズに変換する。
【００７０】
次いで、ステップＳ１５において、ＣＰＵ２９１は、コンテンツ表示制御プログラム２９３ｂ５を実行することによって、通信部２７により受信されたコンテンツ情報に基づくコンテンツ表示サイズを、表示倍率情報データテーブル２９３ａ２に記憶されたコンテンツ情報の解像度及びテレビジョン受像機２の表示サイズに基づく所定の表示サイズに変換した上で、当該コンテンツを映像表示部２５に表示する。
【００７１】
次いで、ステップＳ１６において、ＣＰＵ２９１は、コンテンツ実行プログラム２９３ｂ６を実行することによって、例えば、通信部２７により受信されたコンテンツ情報に基づくコンテンツである携帯小説を、リモコン２８ａの十字キー（図示省略）により、スクロール操作させ、当該コンテンツを実行して、本処理を終了する。
【００７２】
次に、携帯電話機１からテレビジョン受像機２へ転送されるコンテンツ情報が、携帯ゲーム（例えば、Ｊａｖａ(登録商標)アプレット）のようなプログラム情報により構成されるコンテンツ情報を転送する場合の携帯電話機１の処理について、図８を用いて説明する。
なお、ステップＳ２１〜ステップＳ２６は、携帯小説等のコンテンツ情報を転送する場合と同様の処理であるため、省略する。
【００７３】
ステップＳ２７において、ＣＰＵ１４１は、無線通信接続するテレビジョン受像機２から、当該テレビジョン受像機２が、携帯ゲームのようなプログラム情報により構成されるコンテンツ情報を実行するためのソフトウエアを備えているか、及び、当該ソフトウエアを実行可能な環境を備えているか否かについての機器情報を受信する。
【００７４】
次いで、ステップＳ２８において、ＣＰＵ１４１は、テレビジョン受像機２が当該ソフトウエアを実行可能な環境を備えていると判断した場合（ステップＳ２８；Ｙｅｓ）、ステップＳ２９へ移行する。一方、ステップＳ２８において、ＣＰＵ１４１は、テレビジョン受像機２が当該ソフトウエアを実行可能な環境を備えていないと判断した場合（ステップＳ２８；Ｎｏ）、本処理を終了する。
【００７５】
次いで、ステップＳ２９において、ＣＰＵ１４１は、テレビジョン受像機２が当該ソフトウエアを備えていると判断した場合（ステップＳ２９；Ｙｅｓ）、ステップＳ３１へ移行する。一方、ステップＳ２９において、ＣＰＵ１４１は、テレビジョン受像機２が当該ソフトウエアを備えていないと判断した場合（ステップＳ２９；Ｎｏ）、ステップＳ３０へ移行する。
【００７６】
次いで、ステップＳ３０において、ＣＰＵ１４１は、当該ソフトウエアをテレビジョン受像機２へ転送し、ステップＳ３１へ移行する。
【００７７】
次いで、ステップＳ３１において、ＣＰＵ１４１は、当該コンテンツ情報をテレビジョン受像機２へ転送し、本処理を終了する。
【００７８】
次に、携帯電話機１からテレビジョン受像機２へ転送されるコンテンツ情報が、携帯ゲームのようなプログラム情報により構成されるコンテンツ情報を転送する場合のテレビジョン受像機２の処理について、図９を用いて説明する。
なお、ステップＳ４１〜ステップＳ４２及びステップＳ４５〜ステップＳ４７は、携帯小説等のコンテンツ情報を転送する場合と同様の処理であるため、省略する。
【００７９】
ステップＳ４２において、ＣＰＵ２９１は、判断プログラム２９３ｂ１を実行することによって、携帯電話機１が無線通信接続可能であるか否かを判断し、無線通信接続可能であると判断した場合（ステップＳ４２；Ｙｅｓ）、ステップＳ４３へ進み、ＣＰＵ２９１は、記憶部２９３に記憶された、携帯電話機１が有するコンテンツ（例えば、Ｊａｖａアプレット）を実行するためのブラウザソフトを備えているか否か、及び、当該ブラウザソフトを実行するための環境（例えば，ＯＳ；Operating System）を備えているか否かについての機器情報等を携帯電話機１に送信する。
【００８０】
次いで、ステップＳ４３において、ＣＰＵ２９１は、携帯電話機１から転送されたコンテンツ情報を通信部２７によって受信する。また、テレビジョン受像機２が、携帯電話機１が有するコンテンツ（例えば、Ｊａｖａアプレット）を実行するためのブラウザソフトを備えていない場合には、コンテンツ情報とともに、当該ブラウザソフトを受信する。そして、当該ブラウザソフトを受信した場合には、ステップＳ４７において、ＣＰＵ２９１は、当該ブラウザソフトを実行した上で、コンテンツ情報を実行する。
【００８１】
以上説明した本発明にかかるコンテンツ転送システム１００によれば、携帯電話機１のＣＰＵ１４１は、探索プログラム１４３ａを実行することによって、無線通信接続可能なテレビジョン受像機を探索することができ、一覧表示制御プログラム１４３ｂを実行することによって、探索プログラム１４３ａの実行により無線通信接続可能として探索されたテレビジョン受像機２の一覧を当該携帯電話機１の表示部１２に表示させることができ、操作部１３によって、表示部１２に表示されたテレビジョン受像機２の一覧のうち、一のテレビジョン受像機２を選択することができ、ペアリング実行プログラム１４３ｃの実行によって、操作部１３の操作により選択された一のテレビジョン受像機２と無線通信接続するためのペアリング動作を行うことができ、ペアリング実行プログラム１４３ｃの実行により、テレビジョン受像機２との無線通信接続がなされた場合、コンテンツ情報転送プログラム１４３ｄの実行によって、当該携帯電話機１が有するコンテンツ情報をテレビジョン受像機２に転送することができる。
そして、テレビジョン受像機２は、識別情報データテーブル２９３ａ１によって、ペアリング実行プログラム１４３ｃによるペアリング動作に用いられる識別情報を記憶することができ、表示倍率情報データテーブル２９３ａ１によって、コンテンツ情報の解像度と当該テレビジョン受像機２の映像表示部２５の表示サイズとに基づく当該コンテンツ情報に係るコンテンツを拡大表示可能な表示倍率情報を記憶することができ、ペアリング実行プログラム１４３ｃが実行された際、ＣＰＵ２９１が、判断プログラム２９３ｂ１を実行することによって、識別情報データテーブル２９３ａ１に記憶された識別情報との照合に基づき、携帯電話機１が無線通信接続可能であるか否かを判断することができ、判断プログラム２９３ｂ１の実行により無線通信接続可能であると判断された場合、無線通信接続実行プログラム２９３ｂ２の実行によって、携帯電話機１との無線通信接続を行うことができ、コンテンツ情報受信プログラム２９３ｂ３の実行によって、携帯電話機１により転送されるコンテンツ情報を受信することができ、コンテンツ表示サイズ変換プログラム２９３ｂ４の実行によって、コンテンツ情報の解像度から、表示倍率情報データテーブル２９３ａ２に記憶された表示倍率情報を抽出し、当該コンテンツ情報に係るコンテンツを、抽出された表示倍率情報に基づく表示サイズに変換することができ、コンテンツ表示制御プログラム２９３ｂ５の実行によって、コンテンツ表示サイズ変換プログラム２９３ｂ４の実行により変換されたコンテンツ情報に基づくコンテンツを当該テレビジョン受像機２の映像表示部２５に表示させることができる。
従って、携帯用コンテンツを、ユーザにとって好適なテレビジョン受像機に転送することができる。
また、コンテンツ情報の解像度、及び、ユーザにとって好適なテレビジョン受像機の表示サイズに応じて、携帯用コンテンツを表示するため、ユーザにとって見やすいコンテンツ表示を行うことができる。
さらに、テレビジョン受像機２は、リモコン２８ａによって、コンテンツの操作を行うことができ、コンテンツ実行プログラム２９３ｂ６の実行によって、通信部２７により受信されたコンテンツ情報に基づくコンテンツをリモコン２８ａの操作により実行させることができる。
従って、テレビジョン受像機２の映像表示部２５に表示されたコンテンツを、当該テレビジョン受像機２に備えられたリモコン２８ａによって、当該コンテンツを実行することができることとなり、ユーザにとって、使い勝手が良い。
【００８２】
なお、本発明は、上記実施の形態に限定されることなく、本発明の趣旨を逸脱しない範囲において、種々の改良並びに設計の変更を行っても良い。
例えば、テレビジョン受像機２におけるコンテンツ表示サイズ変換処理は、携帯電話機１の側で、コンテンツ情報を転送する際に当該コンテンツ情報に基づくコンテンツの表示サイズを変換する設計であっても良い。
【図面の簡単な説明】
【００８３】
【図１】本発明におけるコンテンツ転送システムの構成を示す図である。
【図２】本発明における携帯電話機の要部構成を示すブロック図である。
【図３】本発明における携帯電話機の表示部の一の表示例を示す図である。
【図４】本発明におけるコンテンツ転送処理を説明する図である。
【図５】本発明におけるテレビジョン受像機の要部構成を示すブロック図である。
【図６】本発明におけるコンテンツ転送処理を示すフローチャートである。
【図７】本発明におけるコンテンツ転送処理を示すフローチャートである。
【図８】本発明におけるコンテンツ転送処理を示すフローチャートである。
【図９】本発明におけるコンテンツ転送処理を示すフローチャートである。
【符号の説明】
【００８４】
１００    コンテンツ転送システム
１        携帯電話機（移動通信端末装置）
１１      通信部（コンテンツ情報転送手段）
１２      表示部
１３      操作部（選択手段）
１４１    ＣＰＵ（探索手段、一覧表示制御手段、ペアリング実行手段、コンテンツ情報転送手段）
１４３ａ  探索プログラム（探索手段）
１４３ｂ  一覧表示制御プログラム（一覧表示制御手段）
１４３ｃ  ペアリング実行プログラム（ペアリング実行手段）
１４３ｄ  コンテンツ情報転送プログラム（コンテンツ情報転送手段）
２        テレビジョン受像機
２５      映像表示部（表示部）
２７      通信部（コンテンツ情報受信手段）
２８      操作部（操作手段）
２９１    ＣＰＵ（判断手段、無線通信接続実行手段、コンテンツ情報受信手段、コンテンツ表示サイズ変換手段、コンテンツ表示制御手段、コンテンツ実行手段）
２９３ａ１  識別情報データテーブル（識別情報記憶手段）
２９３ａ２  表示倍率情報データテーブル（表示倍率情報記憶手段）
２９３ｂ１  判断プログラム（判断手段）
２９３ｂ２  無線通信接続実行プログラム（無線通信接続実行手段）
２９３ｂ３  コンテンツ情報受信プログラム（コンテンツ情報受信手段）
２９３ｂ４  コンテンツ表示サイズ変換プログラム（コンテンツ表示サイズ変換手段）
２９３ｂ５  コンテンツ表示制御プログラム（コンテンツ表示制御手段）
２９３ｂ６  コンテンツ実行プログラム（コンテンツ実行手段）
【図１】
2009094799.tif 000003
【図２】
2009094799.tif 000004
【図３】
2009094799.tif 000005
【図４】
2009094799.tif 000006
【図５】
2009094799.tif 000007
【図６】
2009094799.tif 000008
【図７】
2009094799.tif 000009
【図８】
2009094799.tif 000010
【図９】
2009094799.tif 000011